(57)【要約】【課題】本発明は、光ディスクのレーベル面に光学的に情報を記録するときにおける印字部分のコントラストの変化を抑えて印字の品質を向上させた光ディスク装置及びそのレーベル記録方法を提供することを目的とする。【解決手段】本発明は、レーザ光の照射により発色する発色媒体を有する光ディスクのレーベル面にレーザ光を照射する光源と、レーベル面からの反射光に基づいてレーザ光のフォーカスをレーベル面に合わせるフォーカス制御手段と、レーベル面の発色媒体にレーザ光を照射してレーベル面に可視情報を形成するレーザ制御手段と、レーベル面に可視情報を形成するとき、フォーカスを合わせたフォーカス位置を中心としてフォーカス位置を光ディスクの厚み方向に所定の量の振動を加える制御手段を備えたものである。【選択図】図３
2009015921.tif 000002
【特許請求の範囲】
【請求項１】
レーザ光の照射により発色する発色媒体を有する光ディスクのレーベル面にレーザ光を照射する光源と、
前記レーベル面からの反射光に基づいてレーザ光のフォーカスを前記レーベル面に合わせるフォーカス制御手段と、
前記レーベル面の発色媒体にレーザ光を照射して前記レーベル面に可視情報を形成するレーザ制御手段と、
前記レーベル面に前記可視情報を形成するとき、前記フォーカスを合わせたフォーカス位置を中心として前記フォーカス位置を前記光ディスクの厚み方向に所定の量の振動を加える制御手段を備えた光ディスク装置。
【請求項２】
前記レーザ光は、前記光ディスクの情報記録面を記録するレーザと同一のレーザ光源とすることを特徴とする請求項１記載の光ディスク装置。
【請求項３】
前記レーベル面の発色媒体は、レーザ光の照射により、前記レーベル面の発色媒体の照射前の第１の色から、前記第１の色とは異なる第２の色に変色することを特徴とする請求項１記載の光ディスク装置。
【請求項４】
前記所定の振動の量は、前記フォーカスを合わせたフォーカス位置を中心として前記フォーカス位置が前記光ディスクの厚み方向に変化する振動の量と、前記第１の色と前記第２の色とのコントラストと、の関係より設定されることを特徴とする請求項３記載の光ディスク装置。
【請求項５】
前記所定の振動の量は、前記レーザ光の光量を一定の所定値に設定した場合であって、前記フォーカスを合わせたフォーカス位置を中心として前記フォーカス位置が前記光ディスクの厚み方向に変化する振動の量を順次変化させた場合における、前記コントラストの変化に基づいて、設定されることを特徴とする請求項４記載の光ディスク装置。
【請求項６】
前記所定の振動の量は、前記コントラストが所定の濃度を示す場合に対応する振動の量であることを特徴とする請求項５記載の光ディスク装置。
【請求項７】
前記光源の取付基台の移動の有無を検出する手段を備え、
前記取付基台が移動した場合、前記制御手段は前記所定の振動を停止し前記フォーカス位置を再設定した後、所定の量の振動を再開することを特徴とする請求項１記載の光ディスク装置。
【請求項８】
レーザ光の照射により発色する発色媒体を有する光ディスクのレーベル面にレーザ光を照射し、
前記レーベル面からの反射光を受光し、
前記受光した信号に基づいてレーザ光のフォーカスを前記レーベル面に合わせ、
前記レーベル面の発色媒体にレーザ光を照射して前記レーベル面に可視情報を形成するとき、前記フォーカスを合わせたフォーカス位置を中心として前記フォーカス位置を前記光ディスクの厚み方向に所定の量の振動を加えることを特徴とする光ディスク装置のレーベル記録方法。
【請求項９】
前記光源の取付基台が移動した場合、
前記所定の振動を停止し、
前記レーベル面からの反射光に基づいたレーザ光のフォーカス位置を前記レーベル面に再設定し、
前記再設定したフォーカス位置を中心として前記所定の量の振動を再開することを特徴とする請求項８記載の光ディスク装置のレーベル記録方法。
【発明の詳細な説明】
【技術分野】
【０００１】
本発明は光ディスクの記録面にレーザ光のフォーカスを合わせて情報記録を行う光ディスク装置に関し、特に光学的に記録可能なレーベル面を備えた光ディスクにレーベル情報を記録する光ディスク装置及びそのレーベル記録方法に関するものである。
【背景技術】
【０００２】
光ディスクに情報を記録するには、光ピックアップに設けたレーザ光を光ディスクの記録面にフォーカスを合わせて照射し、光ディスクの記録面の化学変化を利用して記録マークなどを形成し、再生のときにはこの記録マークを読取信号に変換して情報の復元を行いっている。
【０００３】
光ディスクの記録面側とは反対側の面に、光ディスクに記録した情報の内容が把握できるようにレーベル情報を表示することがよく行われている。この光ディスクの記録面と反対側の面をレーベル面と呼んでいる。
【０００４】
従来は、光ディスクの記録面に記録した情報の内容が把握できるようにレーベル面に情報を記録するには、印刷したシールを貼り付けたり、レーベル面にユーザがフェルトペンなどのインクで手書きにより記入したり、レーベル面に設けたプリンタなどで印刷可能な面にインクジェットプリンタなどでレーベル情報を印刷したりして文字や画像などの可視情報を記録していた。
【０００５】
近年光ディスク装置の光ピックアップにより照射されるレーザ光により、光ディスクのレーベル面に設けた可視光特性変化層を設けて、光学的に文字や可視画像などのレーベル情報を印字する技術が開発されている(例えば、特許文献１)。
【特許文献１】特開２００６−０１２４２０号公報
【発明の開示】
【発明が解決しようとする課題】
【０００６】
従来の技術は、光ディスクのレーベル面に対物レンズを駆動して、一旦フォーカスを合わせたらフォーカスを合わせた対物レンズ位置を維持したままフォーカスサーボ制御は行わずに文字や画像などの可視情報をレーザ光のレーベル面への照射にて印字していた。
【０００７】
しかしながら、このような可視情報の記録方法においては、光ディスクの厚み方向に対するフォーカス位置の僅かな変化で印字した可視情報のコントラストが急峻に変化し、印字部分のコントラスト変化に伴う記録品質が悪化する課題があった。
【０００８】
本発明は、光ディスクのレーベル面に光学的に情報を記録するときにおける印字部分のコントラストの変化を抑えて印字の品質を向上させた光ディスク装置及びそのレーベル記録方法を提供することを目的とする。
【課題を解決するための手段】
【０００９】
かかる問題を解決するため、本発明は、レーザ光の照射により発色する発色媒体を有する光ディスクのレーベル面にレーザ光を照射する光源と、レーベル面からの反射光に基づいてレーザ光のフォーカスをレーベル面に合わせるフォーカス制御手段と、レーベル面の発色媒体にレーザ光を照射してレーベル面に可視情報を形成するレーザ制御手段と、レーベル面に可視情報を形成するとき、フォーカスを合わせたフォーカス位置を中心としてフォーカス位置を光ディスクの厚み方向に所定の量の振動を加える制御手段を備えたものである。
【発明の効果】
【００１０】
本発明は、レーベル面に可視情報を形成するとき、フォーカスを合わせたフォーカス位置を中心としてフォーカス位置を光ディスクの厚み方向に所定の量の振動を加えることによりコントラストが平均化されて印字されるので、光ディスクの厚み方向の位置の僅かな変化で記録した可視情報の黒く印字した部分のコントラストが急峻に変化することがなくなりレーベル情報の記録品質のよい光ディスク装置及びそのレーベル記録方法を提供できるようになる。
【発明を実施するための最良の形態】
【００１１】
請求項１記載の発明は、レーザ光の照射により発色する発色媒体を有する光ディスクのレーベル面にレーザ光を照射する光源と、レーベル面からの反射光に基づいてレーザ光のフォーカスをレーベル面に合わせるフォーカス制御手段と、レーベル面の発色媒体にレーザ光を照射してレーベル面に可視情報を形成するレーザ制御手段と、レーベル面に可視情報を形成するとき、フォーカスを合わせたフォーカス位置を中心としてフォーカス位置を光ディスクの厚み方向に所定の量の振動を加える制御手段を備えたものである。
【００１２】
この構成によれば、レーベル面に可視情報を形成するとき、フォーカスを合わせたフォーカス位置を中心としてフォーカス位置を光ディスクの厚み方向に所定の量の振動を加えることによりコントラストが平均化されて印字されるので、光ディスクの厚み方向の位置の僅かな変化で記録した可視情報の印字した部分のコントラストが急峻に変化することがなくなりレーベル情報の記録品質のよい光ディスク装置を提供できるようになる。
【００１３】
請求項２記載の発明は、請求項１記載の発明において、レーザ光は、光ディスクの情報記録面を記録するレーザと同一のレーザ光源とすることを特徴とするものである。
【００１４】
この構成によれば、レーベル情報を印字するレーザ光源を光ディスクに情報を記録するレーザと同一のレーザ光源としたことにより、複数のレーザ光源を用いないので小型の光ディスク装置を提供できるようになる。
【００１５】
請求項３記載の発明は、請求項１記載の発明において、レーベル面の発色媒体は、レーザ光の照射により、レーベル面の発色媒体の照射前の第１の色から、第１の色とは異なる第２の色に変色することを特徴とするものである。
【００１６】
この構成によれば、レーザ光の照射により、レーベル面の発色媒体の照射前の第１の色から、第１の色とは異なる第２の色に変色させることにより、第２の色のコントラストが平均化されて印字されるので、光ディスクの厚み方向の位置の僅かな変化で記録した可視情報の印字した部分のコントラストが急峻に変化することがなくなりレーベル情報の記録品質のよい光ディスク装置を提供できるようになる。
【００１７】
請求項４記載の発明は、請求項１記載の発明において、所定の振動の量は、フォーカスを合わせたフォーカス位置を中心としてフォーカス位置が光ディスクの厚み方向に変化する振動の量と、第１の色と第２の色とのコントラストと、の関係より設定されるものである。
【００１８】
この構成によれば、フォーカスを合わせたフォーカス位置を中心としてフォーカス位置が光ディスクの厚み方向に変化する振動の量と、第１の色と第２の色とのコントラストとの関係により振動量を求めるので、光ディスクの種別によって最適な振動量を設定しかつレーベル情報の記録品質のよい光ディスク装置を提供できるようになる。
【００１９】
請求項５記載の発明は、請求項４記載の発明において、所定の振動の量は、レーザ光の光量を一定の所定値に設定した場合であって、フォーカスを合わせたフォーカス位置を中心としてフォーカス位置が光ディスクの厚み方向に変化する振動の量を順次変化させた場合における、コントラストの変化に基づいて、設定されるものである。
【００２０】
この構成によれば、フォーカス位置が光ディスクの厚み方向に変化する振動の量を順次変化させた場合における、コントラストの変化に基づいて所定の振動量を求めることにより、コントラストのレベルで閾値を設けることで最適な所定の振動量を求めることができるようになるので、光ディスクの種別によって最適な振動量を設定しかつレーベル情報の記録品質のよい光ディスク装置を提供できるようになる。
【００２１】
請求項６記載の発明は、請求項５記載の発明において、所定の振動の量は、コントラストが所定の濃度を示す場合に対応する振動の量であることを特徴とするものである。
【００２２】
この構成によれば、コントラストのレベルで閾値を設けることで最適な所定の振動量を求めることができるようになるので、光ディスクの種別によって最適な振動量を設定しかつレーベル情報の記録品質のよい光ディスク装置を提供できるようになる。
【００２３】
請求項７記載の発明は、請求項１記載の発明において、光源の取付基台の移動の有無を検出する手段を備え、取付基台が移動した場合、制御手段は所定の振動を停止し、フォーカス位置を再設定した後、所定の量の振動を再開することを特徴とするものである。
【００２４】
この構成によれば、レーザ光源の取付基台が移動した場合、制御手段は、所定の振動を停止してフォーカス位置を再設定し、再設定したフォーカス位置で、再度所定の振動を再開することにより、レーザ光源の取付基台が移動して、フォーカス位置が大きく変動したときは、フォーカス位置を再設定して、レーベル情報を記録するので、フォーカス位置の設定が容易となる光ディスク装置を提供できるようになる。
【００２５】
請求項８記載の発明は、レーザ光の照射により発色する発色媒体を有する光ディスクのレーベル面にレーザ光を照射し、レーベル面からの反射光を受光し、受光した信号に基づいてレーザ光のフォーカスをレーベル面に合わせ、レーベル面の発色媒体にレーザ光を照射してレーベル面に可視情報を形成するとき、フォーカスを合わせたフォーカス位置を中心として前記フォーカス位置を光ディスクの厚み方向に所定の量の振動を加えることを特徴とするものである。
【００２６】
この方法によれば、レーベル面に可視情報を形成するとき、フォーカスを合わせたフォーカス位置を中心としてフォーカス位置を光ディスクの厚み方向に所定の量の振動を加えることによりコントラストが平均化されて印字されるので、光ディスクの厚み方向の位置の僅かな変化で記録した可視情報の印字した部分のコントラストが急峻に変化することがなくなりレーベル情報の記録品質のよい光ディスク装置のレーベル記録方法を提供できるようになる。
【００２７】
請求項９記載の発明は、請求項８記載の発明において、光源の取付基台が移動した場合、所定の振動を停止し、レーベル面からの反射光に基づいたレーザ光のフォーカス位置をレーベル面に再設定し、再設定したフォーカス位置を中心として所定の量の振動を再開することを特徴とするものである。
【００２８】
この方法によれば、レーザ光源の取付基台が移動した場合、制御手段は、フォーカス位置を再設定することにより、レーザ光源の取付基台が移動して、フォーカス位置が大きく変動したときのみフォーカス位置を再設定して、レーベル情報を記録するので、フォーカス位置の設定が容易となる光ディスク装置のレーベル記録方法を提供できるようになる。
【００２９】
以下、本発明を実施するための最良の形態について図面を参照しながら説明する。
【００３０】
（実施の形態１）
図１は、本発明の実施の形態１に係わる光ディスク装置の斜視図、図２は、本発明の実施の形態１に係わる光ディスク装置の外観図で、筐体の天部を除去した図である。
【００３１】
図１および図２において光ディスク装置１には筐体２及びトレイ３があり図１、図２は筐体２からトレイ３を引き出した状態を示している。
【００３２】
筐体２は天部２ａと底部２ｂから構成されている。トレイ３には光ピックアップモジュール４が設けられている。光ピックアップモジュール４には光学系を構成した光ピックアップ５と光ディスクを回転させるスピンドルモータ４ａ及び制御回路を構成する回路基板４ｃが構成されている。
【００３３】
光ピックアップモジュール４に設けられた光ピックアップ５はスピンドルモータ４ａに対して近づいたり離れたりし、即ち光ディスクの半径方向に移動する。スピンドルモータ４ａには光ディスク装着部４ｂがあり、光ディスクの取付穴部をここに挿入して取り付ける。
【００３４】
トレイ３の両側部にはレール部６があり、両側部共にレール７と光ディスク引き出し方向に摺動自在に嵌合している。また、レール７は筐体２両側部内面に設けられたレールガイド８とも光ディスク引き出し方向に摺動自在に嵌合しており、トレイ３は筐体２に対し挿抜自在である。トレイ３は筐体２から所定の長さだけ引き出されると筐体２に対して係止する。このときトレイ３に設けられた光ディスク装着部４ｂに光ディスクを装着もしくは取り外すことが可能である。トレイ３には押出部１２が設けられており、排出（イジェクト）動作時に押出部１２が筐体２を押すことにより、トレイ３は筐体２から飛び出す。
【００３５】
光ディスク装置１は、光ディスクがＣＤ−ＲＯＭ、ＣＤ−Ｒ／ＲＷの高速タイプもしくはＤＶＤ等に対応しており、データ転送速度が速いもので、２０Ｍｂｐｓ以上のデータ転送速度を有するものである。
【００３６】
筐体２の底部２ｂには制御回路を備える回路基板９が設けられており、トレイ３には制御回路を備える回路基板４ｃが設けられている。回路基板９と回路基板４ｃとは、フレキシブルプリント基板（ＦＰＣとも呼ぶ）１０で接続されており、このＦＰＣ１０によって回路基板９と回路基板４ｃとの電気的導通が図られる。
【００３７】
電力系としては、スピンドルモータ４ａや、光ピックアップモジュール４に設けられ光ピックアップ５を光ディスクの径方向に駆動するフィードモータ（図示せず）への電力供給及び光ピックアップ５に設けられたレーザ（図示せず）への電力供給が有り、信号としては、光ディスクから読み取りまたは光ディスクに書き込むデータの信号や、スピンドルモータ４ａ、フィードモータ、レーザを制御する信号がある。
【００３８】
図３は、本発明の実施の形態１に係わる光ディスク装置のブロック図である。
【００３９】
図３において、１１１はパーソナルコンピュータ、１は光ディスク装置、１５はインターフェースケーブル、２０はインターフェース、１１は光ディスク、４は光ピックアップモジュール、５は光ピックアップ、４ａはスピンドルモータ、２０５はフォーカス駆動手段、３１は対物レンズ、２０７はレーザ発光手段であるレーザ、２０８は反射光受光手段である検出器、２０９は光ピックアップ５の取付基台であるキャリッジ、２１２はデジタルサーボコントローラ、２１３はデータ処理部、２１４はフォーカス制御手段、２１５はコマンド判別手段、２１７はレーザ制御手段、２１８は回転制御手段、２１９はスピンドルモータ駆動手段、２２０は記憶手段、２２２はディスク判別手段、２２３はフォーカス誤差検出手段、２２４はキャリッジ移動検出手段である。
【００４０】
パーソナルコンピュータ１１１と光ディスク装置１はインターフェースケーブル１５で接続され、インターフェース２３を介して光ディスク１１に記録されたデータをパーソナルコンピュータ１１１に出力したり、パーソナルコンピュータ１１１からのデータを光ディスク１１出力する。
【００４１】
光ピックアップ手段である光ピックアップモジュール４は、レーザ２０７を有し、光ディスク１１へのデータの記録および光ディスク１１の情報の再生時にレーザ光を照射し、記録および再生を行う。また、光学的に記録可能なレーベル面を有する光ディスク１１のレーベル面に文字や可視画像などを印字する。
【００４２】
スピンドルモータ４ｂは、光ディスク１１の回転を行う。
【００４３】
光ピクアップモジュール４はキャリッジ２０９が備えられ、移動手段であるフィードモータ（図示せず）によって光ピックアップモジュール４をスピンドルモータ４ｂに近づいたり離れたりするように光ディスク１１の半径方向に移動させる。
【００４４】
レーザ２０７で出力されたレーザ光は、光ディスク１１の所定のフォーカス位置にフォーカスが合うようにフォーカスコイル制御手段２１４で制御されフォーカス駆動手段２０５でフォーカスを合わせられる。
【００４５】
レーザ制御手段２１７は、光ディスク１１に記録または再生の動作のときに所定のレーザパワーに制御したり、光学的に記録可能なレーベル面に対して、フォーカス制御動作切り替え時のレーザ発光強度の制御をする。
【００４６】
光ディスク１１からのレーザ光の反射光は、反射光受光手段である検出器２０８で受光して光ディスク１１の情報がデジタルサーボコントローラ２１２に送られ、トラッキング誤差信号やフォーカス誤差信号が求められる。
【００４７】
ディスク判別手段２２２は、光ディスク１１からの情報をもとに、対物レンズ３１と対向している記録面がデータなどの情報の記録面か光学的に記録可能なレーベル面であるかを判別する。
【００４８】
コマンド判別手段２１５は、パーソナルコンピュータ１１１から送られてくるコマンドを入力し、入力したコマンドが光ディスク１１に対するデータを記録するコマンドなのか、データを再生するコマンドかレーベル情報を記録するときのコマンドかを判別する。
【００４９】
パーソナルコンピュータ１１１と光ディスク装置１とは、インターフェース２０で接続されており、パーソナルコンピュータ１１１からの制御信号たとえばＡＴＡＰＩパケットコマンドを基に光ディスク装置１はパーソナルコンピュータ１１１に応答し、光ディスク１１の情報を読み込んだり、光ディスク１１に情報を記録したりする。パーソナルコンピュータ１１１と光ディスク装置１はインターフェースケーブル１５で接続されている。また、インターフェース２０は、ＳＣＳＩインターフェースや、ＩＤＥインターフェース等である。
【００５０】
光ディスク１１は、パーソナルコンピュータ１１１の外部記録装置として使用されるときのデータ記録する記録面とは別に記録した内容を光学的に記録可能なレーベル面を有し、かかるレーベル面は、レーザの照射によって地肌の色から黒色へ変化する。この色の変化でユーザが任意に光学的に可視画像や文字などを描画、印字するものである。
【００５１】
キャリッジ移動検出手段２２４は、光ディスク１１への情報の記録または再生のときにキャリッジ２０９が移動したことを検出するもので、特に光ディスク１１のレーベル面に記録するときにキャリッジ２０９が移動すると、フォーカス制御を再開する情報を発するものである。
【００５２】
フォーカス誤差検出手段２２３は、光ディスク１１からの反射光を基にフォーカス誤差を検出する。
【００５３】
ディスク判別手段２２２は、装着されている光ディスク１１がＣＤ−Ｒ，ＣＤ−ＲＷ、ＤＶＤ−Ｒ、ＤＶＤ±ＲＷなどの記録媒体の種類を判別するとともに、記録する面が光学的に記録可能なレーベル面であるかどうかについても判別する。
【００５４】
光ピックアップ５と対向する位置に光学的に記録可能なレーベル面が装着されると、レーベル面が粗面なためにフォーカス位置の検出のため、光ディスク１１を１回転もしくは、数回転させながらフォーカス位置を設定する。
【００５５】
図４は、本発明の実施の形態１に係わる光ディスクとレーザ光の関係を示した図である。
【００５６】
光ディスク１１は、記録面とレーベル面の両方の面に光学的に記録ができるものである。
【００５７】
図４において、図４（ａ）は記録面に記録するときのレーザ光の焦点位置を、図４（ｂ）はレーベル面に記録するときのレーザ光の焦点位置を、図４（ｃ）は光ディスク１１のレーベル面側の外観図を示している。
【００５８】
光ディスク１１の表面から反射面までの距離は、ＣＤで約１．２ｍｍ、ＤＶＤで約０．６ｍｍ、ブルーレイディスクで約０．１ｍｍであるのに、レーベル面１１ｂまでの距離は、約０．０２ｍｍで短い。
【００５９】
光ディスク１１において、記録面１１ａに記録するときとレーベル面１１ｂに記録するときとで同一の光ピックアップ５を使用して記録動作を行う。
【００６０】
従って、ユーザは、記録面１１ａに記録した後レーベル面１１ｂに記録するときに、光ディスク１１のレーベル面１１ｂを光ピックアップ５の対物レンズ３１側に対向するように裏返して取り付ける。
【００６１】
光ディスク１１の記録面１１ａとレーベル面１１ｂとの表面の粗さが異なっており、レーベル面１１ｂ側が粗い構成となっている。
【００６２】
光ディスク１１への記録動作や再生動作をするときは、所望の記録面に焦点（フォーカス）をあわせるように対物レンズ３１を駆動し、光ディスク１１に対して近づけたり遠ざけたりして光ビーム３２の焦点をあわせる。
【００６３】
図４（ｃ）に示すように光ディスク１１のレーベル面１１ｂの内周近くには、光ピックアップ５に向けて装着されている装着面が、レーベル面１１ｂでありレーザ光によって可視情報の印字、例えば文字や写真・可視画像などを印字することが可能であることを示す情報を含んだエンボス領域５１を設けている。
【００６４】
図５は、本発明の実施の形態１に係わるフォーカス制御の説明図である。
【００６５】
図５（ａ）は、フォーカス誤差検出手段２２３により求めたフォーカス誤差信号（ＦＥ信号）、図５（ｂ）は、反射光受光手段２０８の反射光量（ＦＳ）の図、図５（ｃ）は、光ディスクのレーベル面のフォーカス位置を求めるときにフォーカス駆動手段２０５に加える駆動電圧を示す図である。
【００６６】
光ディスク１１の記録面にフォーカス合わせるときには、図５（ｃ）に示すように光ディスク１１より離れた位置から光ディスク１１の記録面に対物レンズ３１を近づけるようにフォーカス駆動手段２０５に電圧を加える。
【００６７】
対物レンズ３１を光ディスク１１に近づけていくと、フォーカス誤差信号（ＦＥ信号）は、図５（ａ）のようにＳ字の波形を示し、光ディスク１１の記録面に焦点が合う点、即ちＳ字波形のゼロクロス点Ｆａが求まる。このとき、反射光受光手段２０８で検出される反射光量は図５（ｂ）に示すように最大値となる。
【００６８】
従って、この反射光量が最大値となる、フォーカス駆動値で、フォーカス位置を求める。これにより、レーベル面のように記録面の表面粗さが大きいときに、フォーカス誤差信号のノイズが大きく最適フォーカス位置がずれても、最適にレーベル面に焦点を合わせることができる。
【００６９】
図６は、本発明の実施の形態１に係わるフォーカスオフセット量と記録印字のコントラストの関係を示した図である。
【００７０】
レーベル面１１ｂに文字や写真・可視画像などを印字するときには、前述のように光ピックアップ５に対向する側にレーベル面１１ｂを向けて光ディスク１１を装着し、装着したらフォーカス誤差信号が最適になるフォーカス位置Ａを検出する。
【００７１】
記録面１１ａに比べてレーベル面１１ｂは記録面の地肌が粗く、またデータ記録方式とは異なるので、特にフォーカスサーボによる制御は難しいし、またそれほどの精度は必要とはしない。しかし、本発明の実施の形態においては、フォーカス位置の変化に伴う印字品質のコントラストの変化による記録品質を向上させる構成を備えている。
【００７２】
図６において、横軸はレーベル記録面にフォーカスを合わせた位置Ａから、フォーカスオフセットを１０μｍごとに加えて、フォーカスオフセットを加えたときのコントラストレベルを示した図である。いくつかのメディアでもほぼ同様値を示す。
【００７３】
ここで、コントラストレベルとは、レーベル面のレーベル情報を記録していない地肌の部分とレーザ光を照射して黒く印字した部分の明るさの差を示している。
【００７４】
レーベル面１１ｂに記録した印刷部のコントラストは、フォーカスの位置ずれによってコントラストのレベルが変化し、従ってフォーカス位置のずれを生ずると、レーベル面１１ｂに記録した印字部のコントラストが変化し、印字品質にむらを生じることがある。
【００７５】
本発明においては、通常の印字モードと高品位の印字モードとを設けて、高品位の印字モードでレーベル面１１ｂに可視情報を印字するときには、フォーカス位置の微小な変化によるコントラストの変化での印字品質のコントラスト変化をなくすのに、設定した最適フォーカス位置を略中心として光ディスクのレーベル面１１ｂにフォーカス位置を近づけたり遠ざけたりする振動をさせながらレーベル面１１ｂへの印字を行う。
【００７６】
光ディスクのレーベル面１１ｂにフォーカス位置を近づけたり遠ざけたりする振動をさせながらレーベル面１１ｂへの記録を行うことにより、光ディスク１１のそりや振動などによってフォーカス位置が変動する影響をなくすことができるので、コントラストの変化をなくした印字品質がよい光ディスク装置１とすることができる。
【００７７】
レーベル面１１ｂへ可視情報を印字するときにフォーカス位置を振動させる範囲は、以下のように設定するとよい。
【００７８】
図６において、最適フォーカス位置Ａからフォーカス位置をオフセットして、レーベル面１１ｂ側へ近づけていく（＋方向）と、レーベル面１１ｂ側から遠ざけていく方向（−方向）フォーカスオフセットを加えていくときのコントラストレベルのグラフを求める。
【００７９】
コントラストが閾値Ｔになるフォーカスオフセット位置Ｂ，フォーカスオフセット位置Ｃを求め、この範囲をフォーカスオフセット範囲Ｗとして、レーベル面１１ｂに記録するときこの範囲でフォーカス位置を振動させながら印刷を行う。
【００８０】
これにより、レーベル面１１ｂに可視情報を形成するとき、フォーカスを合わせたフォーカス位置Ａを中心としてフォーカス位置を光ディスク１１の厚み方向に所定の量Ｗの振動を加えることによりコントラストが平均化されて印字されるので、光ディスク１１の厚み方向の位置の僅かな変化で記録した可視情報の印字した部分のコントラストが急峻に変化することがなくなりレーベル情報の記録品質のよい光ディスク装置１を提供できるようになる。
【００８１】
このフォーカスオフセット範囲Ｗは、光ディスク１１のタイプ（メーカやメディアの種類）などによって設定でき、記憶手段２２０へ保存しておき、必要に応じて、記憶手段２２０から読み出して設定する。
【００８２】
なお、図６に示すように、フォーカスオフセット範囲Ｗは、必ずしも最適フォーカス位置を中心として、レーベル面１１ｂ側に近づいた方向の振動量Ｗ１とレーベル面１１ｂから遠ざかる方向の振動量Ｗ２は同一でなく、どちらかの方向への振動量が大きいことがあってもよい。
【００８３】
図７は、本発明の実施の形態１に係わるレーベル印字処理のフローチャートである。
【００８４】
図７において、レーベル面への記録処理が開始されると（Ｓ１００）、記録する面がレーベル面１１ｂか否かを判別し（Ｓ１０１）、レーベル面１１ｂを出なければ（Ｓ１０１）に戻る。
【００８５】
記録する面がレーベル面であれば、フォーカスコイルを駆動し（Ｓ１０２）、光ディスク１１からの反射光を基に反射光量が最大となる駆動電圧を検出し（Ｓ１０３）、光ディスク１１を所定回転する間の反射光量が最大となる駆動電圧の平均値を検出し（Ｓ１０４）、所定回転測定したかどうかを判別し（Ｓ１０５）、所定の回転測定していなければ（Ｓ１０３）に戻り処理を続ける。
【００８６】
所定の回転数の反射光量が最大となる駆動電圧を測定したら、フォーカス位置が最適値になったかどうか判別し（Ｓ１０６）、フォーカス位置が最適でないと判断したら（Ｓ１０２）に戻り反射光量が最大となる駆動電圧を求める処理を続ける。
【００８７】
反射光量が最大となる駆動電圧になったと判断したら、この反射光量が最大となる駆動電圧となった位置でフォーカス位置を固定し（Ｓ１０７）、フォーカスオフセット範囲Ｗを記憶手段２２０から読み出して設定し（Ｓ１０８）、フォーカス駆動手段を駆動して設定したフォーカスオフセット範囲Ｗで振動させ（Ｓ１０９）、フォーカスオフセット範囲Ｗで振動させながら可視情報をレーベル面１１ｂに印字し（Ｓ１１０）、印字を終了するかどうか判別し（Ｓ１１１）、印字記録を終了するときは、処理終了する（Ｓ１１２）。
【００８８】
印字記録を終了しないと判断したら（Ｓ１１１）、（Ｓ１１０）に戻って処理を続ける。
【００８９】
これにより、レーベル面１１ｂに記録するとき、最適なフォーカス位置を中心としてフォーカスオフセット範囲Ｗでレーベル面１１ｂに印字するので、印字品質のよい光ディスク装置１とすることができる。
【００９０】
図８は、本発明の実施の形態１に係わるパーソナルコンピュータと光ディスク装置のシーケンス図である。
【００９１】
パーソナルコンピュータ１１１と光ディスク装置１とは、インターフェース２０で接続されている。
【００９２】
光ディスク１１にデータの記録をするときは、パーソナルコンピュータ１１１は記録処理のプログラム処理を実行開始し（Ｓ７０１）、光ディスク装置１にデータ記録コマンド発行とともに記録データを転送し（Ｓ７０２）、光ディスク装置１はデータ記録処理を行う（Ｓ７０３）。
【００９３】
光ディスク１１に記録されたデータを再生するときは、パーソナルコンピュータ１１１は、データ再生処理プログラムを実行し（Ｓ７０４）、光ディスク装置１にデータ再生コマンドを発行する（Ｓ７０５）。光ディスク装置１はパーソナルコンピュータ１１１からのデータ再生コマンドを入力すると、光ディスク１１からのデータを再生し（Ｓ７０６）、再生したデータを順次パーソナルコンピュータ１１１に転送する（Ｓ７０７）。
【００９４】
光ディスク１１のレーベル面１１ｂに文字や画像などの可視情報を印字するとき、レーベル印字処理ノーマルモードのプログラムを実行すると（Ｓ７０８）、レーベル記録ノーマルモードコマンドと共に印字データを光ディスク装置１に転送し（Ｓ７０９）、光ディスク装置１では、転送された印字データをノーマルモードで光ディスク１１のレーベル面１１ｂに印字する（Ｓ７１０）。
【００９５】
レーベル面１１ｂへの記録品質を上げたモードでコントラストのむらをなくすモードであるレーベル印字処理高品質モードの処理のプログラムがパーソナルコンピュータ１１１で実行されると（Ｓ７１１）、レーベル記録高品質モードコマンドとともに印字データを光ディスク装置１に転送すると（Ｓ７１２）、光ディスク装置１では、レーベル面１１ｂに可視情報を形成するとき、フォーカスを合わせたフォーカス位置を中心としてフォーカス位置を光ディスク１１の厚み方向に所定の量の振動を加える高品質モードに設定して、レーベル面１１ｂに転送された印字データを印字する（Ｓ７１３）。
【００９６】
（実施の形態２）
図９は、本発明の実施の形態２に係わるレーベル印字処理のフローチャートである。
【００９７】
図９において、レーベル面への記録処理が開始されると（Ｓ３００）、記録する面がレーベル面か否かを判別し（Ｓ３０１）、レーベル面１１ｂを出なければ（Ｓ３０１）に戻る。
【００９８】
記録する面がレーベル面１１ｂであれば、フォーカスコイルを駆動し（Ｓ３０２）、光ディスク１１からの反射光を基に反射光量が最大となる駆動電圧を検出し（Ｓ３０３）、光ディスク１１を所定回転する間の反射光量が最大となる駆動電圧の平均値を検出し（Ｓ３０４）、所定回転測定したかどうかを判別し（Ｓ３０５）、所定の回転測定していなければ（Ｓ３０３）に戻り処理を続ける。
【００９９】
所定の回転数の反射光量が最大となる駆動電圧を測定したら、フォーカス位置が最適値になったかどうか判別し（Ｓ３０６）、フォーカス位置が最適でないと判断したら（Ｓ３０２）に戻り反射光量が最大となる駆動電圧を求める処理を続ける。
【０１００】
反射光量が最大となる駆動電圧になったと判断したら、この反射光量が最大となる駆動電圧となった位置でフォーカス位置を固定し（Ｓ３０７）、フォーカスオフセット範囲Ｗを記憶手段２２０から読み出して設定し（Ｓ３０８）、フォーカス駆動手段を駆動して設定したフォーカスオフセット範囲Ｗで振動させ（Ｓ３０９）、フォーカスオフセット範囲Ｗで振動させながら可視情報をレーベル面１１ｂに印字し（Ｓ３１０）、印字を終了するかどうか判別し（Ｓ３１１）、印字記録を終了するときは、処理終了する（Ｓ３１４）。
【０１０１】
印字記録を終了しないと判断したら（Ｓ３１１）、レーザ光源の取付基台であるキャリッジ２０９が移動したかどうかを判別し（Ｓ３１２）、キャリッジ２０９の移動がなければ、フォーカス位置の変化が少ないと判断できるので（Ｓ３１０）に戻って処理を続ける。
【０１０２】
キャリッジ２０９の移動が発生したときは（Ｓ３１２）、フォーカス位置が変動するので、フォーカスオフセット範囲Ｗで振動させていた振動を一旦停止し（Ｓ３１３）、（Ｓ３０２）に戻ってフォーカス位置の最適設定から処理をする。これにより、キャリッジ２０９が移動するときフォーカス位置を再度設定するので、フォーカス位置が最適となり、この再設定したフォーカス位置を略中心としてフォーカスオフセット範囲Ｗでレーベル面１１ｂに印字するので、印字品質のよい光ディスク装置１とすることができる。
【産業上の利用可能性】
【０１０３】
本発明にかかる光ディスク装置及びそのレーベル記録方法は、光学的に記録可能なレーベル面を有する光ディスクに画像や文字を光学的に記録できるので、光ディスクに記録した内容をレーベル情報として記録するパーソナルコンピュータなどの外部記憶装置としての光ディスク装置に有用である。
【図面の簡単な説明】
【０１０４】
【図１】本発明の実施の形態１に係わる光ディスク装置の斜視図
【図２】本発明の実施の形態１に係わる光ディスク装置の外観図
【図３】本発明の実施の形態１に係わる光ディスク装置のブロック図
【図４】本発明の実施の形態１に係わる光ディスクとレーザ光の関係を示した図
【図５】本発明の実施の形態１に係わるフォーカス制御の説明図
【図６】本発明の実施の形態１に係わるフォーカスオフセット量と記録印字のコントラストの関係を示した図
【図７】本発明の実施の形態１に係わるレーベル印字処理のフローチャート
【図８】本発明の実施の形態１に係わるパーソナルコンピュータと光ディスク装置のシーケンス図
【図９】本発明の実施の形態２に係わるレーベル印字処理のフローチャート
【符号の説明】
【０１０５】
１    光ディスク装置
２    筐体
３    トレイ
４    光ピックアップモジュール
４ａ    スピンドルモータ
５    光ピックアップ
９    回路基板
１０    ＦＰＣ（フレキシブルプリント基板）
１１    光ディスク
３１    対物レンズ
１１１    パーソナルコンピュータ
２０５    フォーカス駆動手段
２０７    レーザ
２０８    反射光受光手段
２０９    キャリッジ
２１４    フォーカス制御手段
２１７    レーザ制御手段
２２２    ディスク判別手段
２２３    フォーカス誤差監視手段
２２４    キャリッジ移動検出手段
【図１】
2009015921.tif 000003
【図２】
2009015921.tif 000004
【図３】
2009015921.tif 000005
【図４】
2009015921.tif 000006
【図５】
2009015921.tif 000007
【図６】
2009015921.tif 000008
【図７】
2009015921.tif 000009
【図８】
2009015921.tif 000010
【図９】
2009015921.tif 000011